(57)【要約】      （修正有）【課題】夜間に自光し、発光パターンを個別に選択できることにより歩行者等からの被視認性や誘導効果が高く、方向指示板にも兼用でき、点灯・消灯管理の自動化により省力化を図れる、設置性・可搬性に優れた伸縮式コーン型標識具を提供する。【解決手段】三角錐型の標識部が垂直方向に伸縮可能で収納時には標識部２を基台部３に格納可能な伸縮式コーン型標識具であって、基台部３の内部に発光部１２と光量検知部１０と伸縮状態検知部１１と発光パターン選択手段を設け、光量検知部１０が検知した設置場所の照度と、伸縮状態検知部１１が検知した標識部２の伸展状態により発光部１２の自動点灯・消灯制御を行い、ユーザが発光パターン選択手段により任意に発光パターンを選択できる。基台部３の底面に方向指示表示板を有する指示部９を設け、コーン型標識具を寝かせて設置すれば方向指示表示板として兼用できる。【選択図】図９
0003155773.tif 000002
【実用新案登録請求の範囲】
【請求項１】
垂直上方に伸縮可能で伸展時には略円錐形となる標識部と、設置使用時には該標識部の基台となり、収縮時には該標識部を格納する格納部となる基台部とからなる伸縮式道路用コーン型標識具であって、基台部の内部に、発光部と、該標識具の設置場所の明るさを検知する光量検知部とを有することを特徴とする伸縮式道路用コーン型標識具。
【請求項２】
基台部の内部に、前記標識部の伸縮状態を検知する伸縮状態検知部を有し、
該標識部が伸展状態にあることを検知した場合に前記発光部を発光させることを特徴とする請求項１に記載の伸縮式道路用コーン型標識具。
【請求項３】
前記基台部底面に方向指示標識を備えた指示部を有し、前記発光部を光源として該指示部表面を発光可能とすることを特徴とする請求項１又は請求項２に記載の伸縮式道路用コーン型標識具。
【請求項４】
前記基台部底面に方向指示標識を備えた指示部と、該基台部内部に該指示部専用の補助発光部を有し、該補助発光部を光源として該指示部を発光可能とし、することを特徴とする請求項１又は請求項２に記載の伸縮式道路用コーン型標識具。
【請求項５】
前記発光部及び／又は補助発光部は複数の発光パターンにより発光可能とし、ユーザが任意の発光パターンを選択して切り替えるための発光パターン選択手段を備えることを特徴とする請求項１乃至請求項４に記載の伸縮式道路用コーン型標識具。
【考案の詳細な説明】
【技術分野】
【０００１】
本考案は、道路や駐車場等の地表面に設置し、主に歩行者や車両の交通規制あるいは誘導に用いられる道路用コーン型標識具（以下、「コーン型標識具」と記す。）に関する。
【背景技術】
【０００２】
かかるコーン型標識具は、円錐形状の標識部と、平面視正方形又は円形の基台部とから構成され、材料には主に硬質プラスティック材料が用いられている。その形状は、標識部と基台部を一体成型し、複数の当該標識具を被せて重ね合わせ収納する固定式のものと、標識部が、内径が順次異なる複数のリング状部材から構成され、設置時には標識部の頂部に取り付けたハンドルを把持して垂直上方に引き上げることにより円錐形状に伸展させ、収納時には標識部の頂部から垂直下方に押し込むことにより標識部を収縮させて基台部の内部に格納し、格納後は複数の当該標識具を積み重ねて収納または搬送する伸縮式のものとが知られている。
【０００３】
【特許文献１】特開２００４−２３８８７７号公報
【０００４】
なお、コーン型標識具自体には誘導方向の指示機能はないため、工事現場等、歩行者や車両に対する進行方向の誘導が必要な場面においては、コーン型標識具のほかに矢印等を表示した方向指示板を路上に設置して併用する場合が多い。
【考案の開示】
【考案が解決しようとする課題】
【０００５】
従来のコーン型標識具は、夜間における歩行者や車両からの視認性を確保するために、円錐形の標識部に反射材を塗布あるいは貼付し、車両の前照灯などの光を反射させる機能を付加する場合が多いが、灯火を有しない歩行者や無灯火の自転車等に対しては効果を期待できない。
【０００６】
また、コーン型標識具の設置場所に高さ制限があったり、急いで設置するなどの状況で、標識部を途中までしか伸ばさない使用状況においては、標識部外面の反射材が十分に露出しないために必要な被視認性を確保できない場合があり、必ずしも夜間の使用に適さないものであった。そのため、夜間の用途には、前記固定式のコーン型標識具の内部にランプ等の照明具を入れ、透過光により標識部を発光させる方法が一般的に取られているが、屋外における外部電源の確保や、多数のコーン型標識具の照明具に給電するためのケーブルの取り回しの関係からコーン型標識具の配置に制約があるなどの問題があった。また、歩行者や車両への注意喚起のために前記ランプ等の照明具を点滅させる方法も取られているが、特定のコーン型標識具の点滅を個別に制御したり、ゾーニングして群管理したりするといった臨機応変のきめ細かな対応は困難である。
【課題を解決するための手段】
【０００７】
本考案は、垂直方向に伸縮可能で伸展時には略円錐形となる標識部と、設置使用時には該標識部の基台となり、収縮時には該標識部を格納する格納部となる基台部とからなる伸縮式道路用コーン型標識具であって、基台部の内部に、発光部と、該標識具の設置場所の明るさを検知する光量検知部とを有することを特徴とする伸縮式道路用コーン型標識具を提供することにより、前記の課題を解決する。
【０００８】
伸縮式コーン型標識具の基台部の内部に、個別独自の電源を有する発光部を内蔵し、夜間の使用の際には当該発光部を光源とする透過光により標識部を発光させれば、個別独自の光源により標識部を自発光するのであるから、標識部の伸縮状態に関わらず夜間における被視認性は確保できるし、外部電源や給電ケーブルも不要となり、コーン型標識具の配置の自由度が高まる。
【０００９】
同じく基台部の内部に、コーン型標識具の設置場所の明るさを検知する光量検知部を設け、あらかじめ設定しておいた点灯・消灯の基準となる光量に対する検知光量の変化により発光部に信号を発し、自動的に点灯・消灯を制御させれば、ユーザが外光の光量を判断していちいち多数のコーン型標識具のスイッチを入れたり切ったりする手間が省けるだけでなく、設置場所が無人の場合でも確実に点灯・消灯を行えるため、ユーザにおいて省力化を図ることが可能となる。
【００１０】
また、基台部の内部に、前記標識部の伸縮状態を検知する伸縮状態検知部を設け、該標識部が伸展状態にあることを検知した場合に前記発光部を発光させることにより、コーン型標識具の設置場所に高さ制限があったり、急いで設置するなどの状況で、標識部を途中までしか伸ばさない使用状況において、標識部外面の反射材が十分に露出しないような使用方法をする場合でも標識部自体が自発光するため必要な被視認性を確保でき、ユーザがいちいちスイッチを入れたり切ったりする必要がないため、やはり省力化を図ることができる。
【００１１】
また、基台部底面に方向指示標識を備えた指示部を取り付け、コーン型標識具を路面に寝かせて歩行者や車両に対して底面を向けて指示部を指向させるように設置すれば、従来の矢印等を表示した方向指示板と同様の効果を発揮することができ、別途方向指示板を用意する必要がなくなる。その場合、やはり夜間の被視認性を確保するために、当該指示部が自発光することが望ましいが、そのための光源として、基台部内部に備える発光部を兼用するか、あるいは指示部を発光させるため専用の補助発光部を備えることで同様の効果を発揮することができる。
【００１２】
さらに、前記発光部及び補助発光部を複数の発光パターンにより発光可能とし、ユーザが任意の発光パターンを選択して切り替えるための発光パターン選択手段を備えれば、たとえば、より注意が必要な場所では標識部又は指示部を点滅させ、単に標識部や指示部を明示するだけで良い場所では車両等の運転手の注意を不必要にそらさないように点灯状態のままにするなど、設置場所の状況に応じた誘導指示を行うことができる。
もちろん、基台部内部に備えた前記の光量検知部や発光パターン選択手段との連動により、指示部の点灯・消灯を自動化し、また、指示部の発光パターンを任意に選択することも可能である。
【考案の効果】
【００１３】
本考案によれば、簡単に伸長／収縮させることができ、可搬性と設置性に優れた伸縮式コーン型標識具において、個別に設置場所の明るさに応じて自動的に内部照明が点灯・消灯し、歩行者や車両等からの被視認性を高めるだけでなく、必要に応じてユーザがその発光パターンを任意に選択できるコーン型標識具を提供することができる。また、当該コーン型標識具を路面等に寝かせて設置することにより、その底面部を方向指示板として兼用することができ、方向指示表示も同様に自動的に点灯・消灯させ、あるいは発光パターンを任意に選択できるコーン型標識具を提供することができ。そのため、ユーザにとっては、工事現場や交通誘導の現場でのコーン型標識具設置の自由度の向上を図れるだけでなく、多数のコーン型標識具の点灯・消灯管理の省力化が図れるという効果が得られる。
【考案を実施するための最良の形態】
【００１４】
以下、本考案を実施するための形態について、図面を参照しつつ説明する。図１乃至図６は本考案の一実施形態である伸縮式コーン型標識具の、標識部を最大限伸展した状態を示す六面図であり、図７及び図８は標識部を完全に基台部に格納した状態を示す正面図、参考斜視図である。また、図９は基台部の内部構造を示す断面略図であり、図１０は標識部を完全に基台部に格納した上で、複数の伸縮式コーン型標識具を積み重ねて収納した状態を示す参考側面図である。さらに、図１１は本実施形態の伸縮式コーン型標識具を、標識部を伸展させて地表面に寝かせ、基台部底面の指示部を露出させて方向指示板として使用する状態を示す参考斜視図である。
【００１５】
本考案に係る伸縮式コーン型標識具１は、垂直方向に伸縮可能で伸展時には略円錐形となる標識部２と、設置使用時には該標識部２の基台となり、収縮時には該標識部を格納する格納部となる基台部３とから構成される。材質は高質プラスティック等の耐衝撃性に優れたものが適当であるが、標識部は塩化ビニル等の軽量かつ柔軟性、耐摩耗性を有する素材でも良く、基台部内部に装備する発光部の発する光を、夜間に十分な被視認性を確保できる程度に透過させる材質であれば良い。
【００１６】
標識部２は、基台部３の厚みに収まる高さで、頂部から順次半径が大きくなるように設定された複数の円錐台形のリング状部材４を同心円状に配置する構造とする。頂部を形成する最中心の略円錐形部材にハンドル８を取り付け、ユーザが該ハンドル８を垂直方向に引き上げることにより基台部３の中に収納されたリング状部材４が順次同心円の中心側より引き出され、同心円の最外側のリング状部材４が引き出されることにより円錐形の標識部の全高が形成される。
【００１７】
また、各リング状部材４の表面には、別部材を用いて、あるいはリング状部材４と一体成型される形により所定位置に突起を設け、各リング状部材４の裏面には該突起に対応する所定位置に固定孔（図示せず）を設けておく。ハンドル８により引き出された頂部の円錐形部材が上方に移動して該円錐形部材表面の突起がその一段外側のリング状部材４の裏面に設けられた固定孔に一致して嵌合することにより、頂部の円錐形部材と該外側のリング状部材４とが固定される。以降、引き続きハンドル８を引き上げ続けることにより、同様に各リング状部材４の表面の突起が、外側のリング状部材４の固定孔に嵌合して順次円錐形の標識部が立ち上がる。ハンドル８の引き上げを途中でやめても、その時点で引き上げられていたリング状部材４のみで円錐形が形成されるため、標識部の高さを任意に調節して設置することが可能である。
【００１８】
一方、格納時には、頂部の円錐形部材を垂直下方に押し込むことにより、リング状部材４自体の弾性により前記突起と固定孔との嵌合が外れ、リング状部材４は順次下方に降下し、最終的にはすべてのリング状部材４が基台部に格納される。これにより、コーン型標識具１の全高は基台部の厚みだけとなり、複数のコーン型標識具１を積み重ねた状態で収納できるため、トラック等の荷台に多数のコーン型標識具を積み込むことが可能となり、設置場所への搬送が効率的に行える。
【００１９】
また、本実施形態では、図９に示す如く基台部３内部の底面上に発光部１２、光量検知部１０、伸縮状態検知部１１、及び補助発光部１３を設置し、それぞれ電池格納部６に格納する電池（図示せず）から給電を受けるとともに、信号回路にて相互に接続している。発光部１２には上方に向けて、補助発光部１３は下方に向けて、それぞれ光源としてのランプを取り付けており、電池を電源として発光させる。発光部１２のランプは夜間に標識部２を透過光で浮かび上がらせて被視認性を高めるための光源であり、補助発光部１３のランプは、基台部３の底面外側に設けた指示部９の矢印方向指示板を点灯させるための光源である。
【００２０】
なお、リング状部材４の伸展時に標識部２の表面となる外側側面には、一定の間隔で帯状の反射材を貼付し、発光部１２による自光と車両等の前照灯の反射光の併用による被視認効果を発揮させても良いが、反射材の貼付は自光による効果を妨げない程度とすることが望ましい。
【００２１】
光源としてはランプのほかＬＥＤを用いても良く、特に補助発光部１３用の光源としては、指示部９の矢印方向指示板の矢印の形に沿って光源を並べることで、夜間に矢印形を明瞭に表示できるため、ＬＥＤを用いることがより望ましい。ＬＥＤを使用することによりランプよりも消費電力を抑制できるため、電池交換の手間と電池コストを減らす効果がある。
【００２２】
なお、本実施形態のほかに、発光部１２の光源を上方・下方いずれにも光を指向できるように取り付け、標識部２と指示部９の光源として兼用させることも可能であり、その場合は補助発光部１３を省略することができる。
【００２３】
光量検知部１０は光量センサ（図示せず）を備えており、コーン型標識具１の設置場所の明るさを検知し、あらかじめ設定しておいた点灯・消灯の基準となる光量に対する検知光量の変化により発光部１２または補助発光部１３の点灯・消灯を制御する。これにより、ユーザが外光の光量を判断していちいちコーン型標識具１のスイッチを入れたり切ったりする手間が省けるだけでなく、設置場所が無人の場合であっても確実に点灯・消灯を行えるため、ユーザにおいて省力化が図られる。
【００２４】
伸縮状態検知部１１は、赤外線式近接センサ（図示せず）を垂直上方に向けて取り付けており、標識部２の円錐形頂部の部材との垂直方向の距離を検知し、あらかじめ設定した点灯・消灯の基準となる距離に対する検知距離の変化により発光部１２の点灯・消灯を制御する。標識部２が一定以上の伸展状態となったことを検知した場合に発光部１２に信号を送って点灯させ、円錐形頂部の部材との距離が最少となった場合、すなわち標識部２が基台部３に格納された状態の場合に消灯させる。
【００２５】
光量検知部１０と伸縮状態検知部１１は、前述の通り信号回路で発光部１２または補助発光部１３と接続されており、双方からの信号を受けて、夜間など点灯が必要な状態かつ標識部２が所定の伸長状態にある場合にのみ、発光部１２または補助発光部１３、あるいはその双方の光源を点灯させる制御を行う。これにより、ユーザは標識部２を所定の高さまで伸長させて路面等にコーン型標識具１を設置するだけで、いちいち点灯・消灯のスイッチ操作を行うことなく昼夜を問わずコーン型標識具１の被視認性を確保することが可能となる。
【００２６】
なお、補助発光部１３を設けたコーン型標識具１を、標識部２を伸長状態にして立てて設置するという通常の設置状態にした場合、指示部９は底面となって路面等に接し外部から視認できない補助発光部１３を点灯させることは電池の無駄となる。これを防ぐためには、コーン型標識具１を寝かせて設置し指示部９の方向指示表示板を使用する場合にのみ補助発光部１３に給電させるための手動スイッチ（図示せず）を別途設置してもよい。あるいは、伸縮状態検知部１１に水準器等の姿勢感知手段（図示せず）を設置して、外部光量・表示部２の伸長状態、コーン型標識具１の設置状態の３つの信号が揃った場合にのみ、補助発光部１３を点灯させるという制御を行ってもよい。
【００２７】
また、本実施例では、前記発光部１２又は補助発光部１３を複数の発光パターンにより発光可能とし、ユーザが任意の発光パターンを選択して切り替えるための発光パターン選択手段として、発光パターン切替スイッチ７を設置している。これにより、コーン型標識具１を、たとえば通常よりも注意が必要な場所に設置する場合には標識部２又は指示部９を特定のパターンで点滅させ、単に標識部２や指示部９の存在を明示するだけで良い場所では、車両等の運転手の注意を不必要にそらさないように点灯状態のままにするなど、設置場所の状況に応じた誘導指示を行うことができる。なお、該発光パターン切替スイッチ７は、前記の補助発光部１３への給電の有無を選択する手動スイッチを兼ねるものとしてもよい。
【００２８】
本考案は、以上の実施の形態に限定されることなく、実用新案登録請求の範囲に記載された考案の範囲内で種々の変更が可能であり、それらも本考案の技術的範囲内に包含されるものであることはいうまでもない。
【図面の簡単な説明】
【００２９】
【図１】本実施形態の伸縮式コーン型標識具の正面図である。
【図２】本実施形態の伸縮式コーン型標識具の背面図である。
【図３】本実施形態の伸縮式コーン型標識具の右側面図である。
【図４】本実施形態の伸縮式コーン型標識具の左側面図である。
【図５】本実施形態の伸縮式コーン型標識具の上面図である。
【図６】本実施形態の伸縮式コーン型標識具の底面図である。
【図７】標識部を完全に基台部に格納した状態を示す正面図である。
【図８】標識部を完全に基台部に格納した状態を示す参考斜視図である。
【図９】基台部の内部構造を示す断面略図である。
【図１０】複数の伸縮式コーン型標識具を積み重ねて収納した状態を示す参考側面図である。
【図１１】本実施形態の伸縮式コーン型標識具を方向指示板として使用する状態を示す参考斜視図である。
【符号の説明】
【００３０】
１    本実施形態の伸縮式コーン型標識具
２    標識部
３    基台部
４    標識部の外皮（複数のリング状部材から構成される。）
５    反射材
６    電池格納部
７    発光パターン切替スイッチ
８    ハンドル
９    指示部（方向指示板）
１０  光量検知部（光量センサ）
１１  伸縮状態検知部（赤外線式近接センサ）
１２  発光部（内部ランプ）
１３  補助発光部（外部ランプ）
【図１】
0003155773.tif 000003
【図２】
0003155773.tif 000004
【図３】
0003155773.tif 000005
【図４】
0003155773.tif 000006
【図５】
0003155773.tif 000007
【図６】
0003155773.tif 000008
【図７】
0003155773.tif 000009
【図８】
0003155773.tif 000010
【図９】
0003155773.tif 000011
【図１０】
0003155773.tif 000012
【図１１】
0003155773.tif 000013
【手続補正書】
【提出日】平成21年9月29日(2009.9.29)
【手続補正１】
【補正対象書類名】実用新案登録請求の範囲
【補正対象項目名】請求項５
【補正方法】変更
【補正の内容】
【請求項５】
前記発光部及び／又は補助発光部は複数の発光パターンにより発光可能とし、ユーザが任意の発光パターンを選択して切り替えるための発光パターン選択手段を備えることを特徴とする請求項１乃至請求項４のいずれか一項に記載の伸縮式道路用コーン型標識具。